(57)【特許請求の範囲】
【請求項１】
複数の建築図面に係るＣＡＤデータを記憶するＣＡＤデータ記憶部と、
複数の特記事項を記憶する特記事項記憶部と、
前記建築図面に前記特記事項を書き込む場合の書き込み箇所を特定する書き込み箇所特定手段と、
前記複数の特記事項のうちの少なくとも一つの特記事項の選択を受け付ける特記事項選択受付手段と、
前記特記事項選択受付手段により選択が受け付けられた特記事項を、前記書き込み箇所特定手段により特定された書き込み箇所に追記するように、前記ＣＡＤデータ記憶部に記憶されているＣＡＤデータを更新する特記事項追記手段と、
前記特記事項選択受付手段により選択が受け付けられた特記事項に基づいて、建築図面内の線図を修正するように、前記ＣＡＤデータ記憶部に記憶されているＣＡＤデータを更新する線図修正手段と
を備える、建築用ＣＡＤデータ処理装置。
【請求項２】
前記線図修正手段が、前記特記事項選択受付手段により選択が受け付けられた特記事項がハッチングパターンの意味を特定する情報であった場合に、当該ハッチングパターンを所定の箇所に施すことにより、前記ＣＡＤデータ記憶部に記憶されているＣＡＤデータを更新するように構成されている、
請求項１に記載の建築用ＣＡＤデータ処理装置。
【請求項３】
前記建築図面から前記特記事項を削除する場合の削除箇所を特定する削除箇所特定手段と、
前記特記事項選択受付手段により選択が受け付けられた特記事項を、前記削除箇所特定手段により特定した削除箇所から削除するように、前記ＣＡＤデータ記憶部に記憶されているＣＡＤデータを更新する特記事項削除手段と
をさらに備える、請求項１又は２に記載の建築用ＣＡＤデータ処理装置。
【請求項４】
前記特記事項記憶部には、特記事項と当該特記事項が建築図面において書き込まれるべき箇所とが対応付けられて記憶されており、
前記書き込み箇所特定手段により書き込み箇所が特定された場合、前記特記事項記憶部において当該書き込み箇所と対応付けられて記憶されている特記事項を出力する特記事項出力手段をさらに備え、
前記特記事項選択受付手段が、前記特記事項出力手段によって出力されている特記事項のうちの少なくとも一つの特記事項の選択を受け付けるように構成されている、
請求項１乃至３の何れかに記載の建築用ＣＡＤデータ処理装置。
【請求項５】
前記建築図面に書き込まれる特記事項及び当該特記事項の書き込み箇所の入力を受け付ける特記事項入力受付手段と、
前記特記事項入力受付手段により入力が受け付けられた特記事項を、同じく入力が受け付けられた当該特記事項の書き込み箇所と対応付けて前記特記事項記憶部に登録する特記事項登録手段と
をさらに備える、請求項４に記載の建築用ＣＡＤデータ処理装置。
【請求項６】
建築図面毎に特記事項が記載される位置を規定する記載位置情報を記憶しており、
前記特記事項追記手段が、前記記載位置情報に基づいて、建築図面に特記事項を追記するように構成されている、
請求項１乃至５の何れかに記載の建築用ＣＡＤデータ処理装置。
【請求項７】
記憶部を備えるコンピュータを用いて、建築図面に係るＣＡＤデータを処理する建築用ＣＡＤデータ処理方法において、
前記記憶部には、複数の建築図面に係るＣＡＤデータ及び複数の特記事項が記憶されており、
前記コンピュータが、
前記建築図面に前記特記事項を書き込む場合の書き込み箇所を特定するステップと、
前記複数の特記事項のうちの少なくとも一つの特記事項の選択を受け付けるステップと、
前記選択が受け付けられた特記事項を、前記特定された書き込み箇所に追記するように、前記記憶部に記憶されているＣＡＤデータを更新するステップと、
前記選択が受け付けられた特記事項に基づいて、建築図面内の線図を修正するように、前記ＣＡＤデータ記憶部に記憶されているＣＡＤデータを更新するステップと
を有することを特徴とする、建築用ＣＡＤデータ処理方法。
【請求項８】
複数の建築図面に係るＣＡＤデータ及び複数の特記事項を記憶する記憶部を備えるコンピュータを、
前記建築図面に前記特記事項を書き込む場合の書き込み箇所を特定する書き込み箇所特定手段と、
前記複数の特記事項のうちの少なくとも一つの特記事項の選択を受け付ける特記事項選択受付手段と、
前記特記事項選択受付手段により選択が受け付けられた特記事項を、前記書き込み箇所特定手段により特定された書き込み箇所に追記するように、前記ＣＡＤデータ記憶部に記憶されているＣＡＤデータを更新する特記事項追記手段と、
前記特記事項選択受付手段により選択が受け付けられた特記事項に基づいて、建築図面内の線図を修正するように、前記ＣＡＤデータ記憶部に記憶されているＣＡＤデータを更新する線図修正手段として機能させるためのコンピュータプログラム。
【発明の詳細な説明】
【技術分野】
【０００１】
本発明は、建築用のＣＡＤ（Computer Aided Design）データの処理を実行する建築用ＣＡＤデータ処理装置に関し、特に、建築図面に係る特記事項についての処理を実行する建築用ＣＡＤデータ処理装置、建築用ＣＡＤデータ処理方法、及びその方法をコンピュータに実施させるためのコンピュータプログラムに関する。
【背景技術】
【０００２】
建築分野においてはＣＡＤにより生成された図面が広く利用されるに至っており、そのようなＣＡＤ図面を生成するための各種の技術が提案されている。例えば、特許文献１には、構造伏図上に各部材のサイズおよび高さ情報を付記することにより躯体ベース図を作成した後、上記各部材の図面上の幾何学的な寸法を部材リストの数値と対応させるべく上記躯体ベース図を修正し、その後、建築物の平面図上に描画された特定の部材を上記躯体ベース図上に取り込むことによって基本二次元建築モデルを作成し、この基本二次元建築モデルを実際の施工に適合するように修正することにより、施工用の各種図面の図面データを集約した最終二次元建築モデルを作成するＣＡＤシステムが開示されている。このＣＡＤシステムによれば、設計図書のデータを引き継いで効率良く施工用の各種図面を作成することが可能になる。
【先行技術文献】
【特許文献】
【０００３】
【特許文献１】特開２００４−１３９２４１号公報
【発明の概要】
【発明が解決しようとする課題】
【０００４】
ところで、建築分野における各種の図面には、図面中に記載されていない様々な特記事項（例えば、「杭天端は、基礎下端＋１００とする」等）が付されることが多い。これらの特記事項は、施工するためには不可欠な内容であるものの、上述したような従来のＣＡＤシステムでは、特記事項を含む図面の生成を容易に行うことは困難であった。
【０００５】
本発明は斯かる事情に鑑みてなされたものであり、その主たる目的は、特記事項の追記を自動的に行うことにより、上記の課題を解決することができる建築用ＣＡＤデータ処理装置、建築用ＣＡＤデータ処理方法、及びその方法をコンピュータに実施させるためのコンピュータプログラムを提供することにある。
【課題を解決するための手段】
【０００６】
上述した課題を解決するために、本発明の一の態様の建築用ＣＡＤデータ処理装置は、複数の建築図面に係るＣＡＤデータを記憶するＣＡＤデータ記憶部と、複数の特記事項を記憶する特記事項記憶部と、前記建築図面に前記特記事項を書き込む場合の書き込み箇所を特定する書き込み箇所特定手段と、前記複数の特記事項のうちの少なくとも一つの特記事項の選択を受け付ける特記事項選択受付手段と、前記特記事項選択受付手段により選択が受け付けられた特記事項を、前記書き込み箇所特定手段により特定された書き込み箇所に追記するように、前記ＣＡＤデータ記憶部に記憶されているＣＡＤデータを更新する特記事項追記手段と、前記特記事項選択受付手段により選択が受け付けられた特記事項に基づいて、建築図面内の線図を修正するように、前記ＣＡＤデータ記憶部に記憶されているＣＡＤデータを更新する線図修正手段とを備える。この態様において、前記線図修正手段が、前記特記事項選択受付手段により選択が受け付けられた特記事項がハッチングパターンの意味を特定する情報であった場合に、当該ハッチングパターンを所定の箇所に施すことにより、前記ＣＡＤデータ記憶部に記憶されているＣＡＤデータを更新するように構成されていてもよい。
【０００７】
前記態様の建築用ＣＡＤデータ処理装置が、前記建築図面から前記特記事項を削除する場合の削除箇所を特定する削除箇所特定手段と、前記特記事項選択受付手段により選択が受け付けられた特記事項を、前記削除箇所特定手段により特定した削除箇所から削除するように、前記ＣＡＤデータ記憶部に記憶されているＣＡＤデータを更新する特記事項削除手段とをさらに備えていてもよい。
【０００８】
また、前記態様において、前記特記事項記憶部には、特記事項と当該特記事項が建築図面において書き込まれるべき箇所とが対応付けられて記憶されており、前記書き込み箇所特定手段により書き込み箇所が特定された場合、前記特記事項記憶部において当該書き込み箇所と対応付けられて記憶されている特記事項を出力する特記事項出力手段をさらに備え、前記特記事項選択受付手段が、前記特記事項出力手段によって出力されている特記事項のうちの少なくとも一つの特記事項の選択を受け付けるように構成されていてもよい。
【０００９】
また、前記態様の建築用ＣＡＤデータ処理装置が、前記建築図面に書き込まれる特記事項及び当該特記事項の書き込み箇所の入力を受け付ける特記事項入力受付手段と、前記特記事項入力受付手段により入力が受け付けられた特記事項を、同じく入力が受け付けられた当該特記事項の書き込み箇所と対応付けて前記特記事項記憶部に登録する特記事項登録手段とをさらに備えていてもよい。
【００１１】
また、前記態様の建築用ＣＡＤデータ処理装置が、建築図面毎に特記事項が記載される位置を規定する記載位置情報を記憶しており、前記特記事項追記手段が、前記記載位置情報に基づいて、建築図面に特記事項を追記するように構成されていてもよい。
【００１２】
本発明の一の態様の建築用ＣＡＤデータ処理方法は、記憶部を備えるコンピュータを用いて、建築図面に係るＣＡＤデータを処理する建築用ＣＡＤデータ処理方法において、前記記憶部には、複数の建築図面に係るＣＡＤデータ及び複数の特記事項が記憶されており、  前記コンピュータが、前記建築図面に前記特記事項を書き込む場合の書き込み箇所を特定するステップと、前記複数の特記事項のうちの少なくとも一つの特記事項の選択を受け付けるステップと、前記選択が受け付けられた特記事項を、前記特定された書き込み箇所に追記するように、前記記憶部に記憶されているＣＡＤデータを更新するステップと、前記選択が受け付けられた特記事項に基づいて、建築図面内の線図を修正するように、前記ＣＡＤデータ記憶部に記憶されているＣＡＤデータを更新するステップとを有する。
【００１３】
また、本発明の一の態様のコンピュータプログラムは、複数の建築図面に係るＣＡＤデータ及び複数の特記事項を記憶する記憶部を備えるコンピュータを、前記建築図面に前記特記事項を書き込む場合の書き込み箇所を特定する書き込み箇所特定手段と、前記複数の特記事項のうちの少なくとも一つの特記事項の選択を受け付ける特記事項選択受付手段と、  前記特記事項選択受付手段により選択が受け付けられた特記事項を、前記書き込み箇所特定手段により特定された書き込み箇所に追記するように、前記ＣＡＤデータ記憶部に記憶されているＣＡＤデータを更新する特記事項追記手段と、前記特記事項選択受付手段により選択が受け付けられた特記事項に基づいて、建築図面内の線図を修正するように、前記ＣＡＤデータ記憶部に記憶されているＣＡＤデータを更新する線図修正手段として機能させるためのものである。
【発明の効果】
【００１４】
本発明に係る建築用ＣＡＤデータ処理装置、建築用ＣＡＤデータ処理方法及びコンピュータプログラムによれば、特記事項の追記又は削除等、図面に付与される特記事項についての処理を容易に行うことが可能になる。
【図面の簡単な説明】
【００１５】
【図１】本発明の実施の形態に係る建築用ＣＡＤデータ処理装置の構成を示すブロック図。
【図２】本発明の実施の形態の建築用ＣＡＤデータ処理装置に設けられる特記事項情報データベースのレイアウトの一例を示す図。
【図３】本発明の実施の形態の建築用ＣＡＤデータ処理装置が実行する特記事項登録処理の処理手順を示すフローチャート。
【図４】本発明の実施の形態の建築用ＣＡＤデータ処理装置のディスプレイ上に表示される特記事項処理画面の一例を示す図。
【図５】本発明の実施の形態の建築用ＣＡＤデータ処理装置のディスプレイ上に表示される既登録特記事項を含む特記事項処理画面の一例を示す図。
【図６】本発明の実施の形態の建築用ＣＡＤデータ処理装置が実行する特記事項削除処理の処理手順を示すフローチャート。
【図７】本発明の実施の形態の建築用ＣＡＤデータ処理装置のディスプレイ上に表示される既登録特記事項を含む特記事項処理画面の一例を示す図。
【図８】本発明の実施の形態の建築用ＣＡＤデータ処理装置が実行する特記事項追記処理の処理手順を示すフローチャート。
【図９】本発明の実施の形態の建築用ＣＡＤデータ処理装置のディスプレイ上に表示される既登録特記事項を含む特記事項処理画面の一例を示す図。
【図１０】本発明の実施の形態の建築用ＣＡＤデータ処理装置のディスプレイ上に表示される登録特記追記後のＣＡＤデータの一例を示す図。
【図１１】本発明の実施の形態の建築用ＣＡＤデータ処理装置が実行する線図修正処理の処理手順を示すフローチャート。
【図１２】本発明の実施の形態の建築用ＣＡＤデータ処理装置のディスプレイ上に表示される線図修正後のＣＡＤデータの一例を示す図。
【発明を実施するための形態】
【００１６】
以下、本発明の好ましい実施の形態について、図面を参照しながら説明する。なお、以下に示す実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１７】
［建築用ＣＡＤデータ処理装置の構成］
図１は、本発明の実施の形態に係る建築用ＣＡＤデータ処理装置の構成を示すブロック図である。図１に示すように、コンピュータ（建築用ＣＡＤデータ処理装置）１００は、本体１と、入力部２と、ディスプレイ３とを備えている。本体１は、ＣＰＵ１１、ＲＯＭ１２、ＲＡＭ１３、ハードディスク１４、データ読出装置１５、入出力インタフェース（Ｉ／Ｆ）１６、及び画像出力インタフェース（Ｉ／Ｆ）１７を備えており、これらのＣＰＵ１１、ＲＯＭ１２、ＲＡＭ１３、ハードディスク１４、データ読出装置１５、入出力Ｉ／Ｆ１６及び画像出力Ｉ／Ｆ１７は、バスＢＳによって接続されている。
【００１８】
ＣＰＵ１１は、ＲＡＭ１３にロードされたコンピュータプログラムを実行することができる。このＣＰＵ１１が後述するＣＡＤデータ処理プログラム１４Ａを実行することによって、コンピュータ１００が本実施の形態の建築用ＣＡＤデータ処理装置（以下、単に「ＣＡＤデータ処理装置」という）として機能することになる。
【００１９】
ＲＯＭ１２は、マスクＲＯＭ、ＰＲＯＭ（Programmable ROM）、ＥＰＲＯＭ（Erasable PROM）、又はＥＥＰＲＯＭ（Electrically Erasable PROM）などによって構成されており、ＣＰＵ１１にて実行されるコンピュータプログラム及びその実行の際に用いられるデータなどが記憶されている。
【００２０】
ＲＡＭ１３は、ＳＲＡＭ又はＤＲＡＭなどによって構成されている。このＲＡＭ１３は、ハードディスク１４に記憶されているＣＡＤデータ処理プログラム１４Ａの読み出し等に用いられる。また、ＣＰＵ１１が各種のコンピュータプログラムを実行するときに、ＣＰＵ１１の作業領域としても利用される。
【００２１】
ハードディスク１４には、オペレーティングシステム及びアプリケーションプログラムなど、ＣＰＵ１１に実行させるための種々のコンピュータプログラム及び当該コンピュータプログラムの実行に用いられるデータが予めインストールされている。後述するＣＡＤデータ処理プログラム１４Ａも、このハードディスク１４にインストールされている。
【００２２】
また、ハードディスク１４には、建築用のＣＡＤデータが蓄積される図面情報データベース（ＤＢ）１４Ｂが設けられている。この図面情報ＤＢ１４Ｂに蓄積されるＣＡＤデータは、例えばＤＸＦ形式、ＤＷＧ形式、ＪＷＣ形式などのデータであって、床伏図、天井伏図及び平面詳細図等の各種の平面図、並びに各種の断面図及び立面図等を表すデータである。二次元及び三次元の何れのＣＡＤデータであってもよい。
【００２３】
また、ハードディスク１４には、各種の図面に付与される特記事項に関する特記事項情報が蓄積される特記事項情報データベース（ＤＢ）１４Ｃが設けられている。この特記事項情報ＤＢ１４Ｃの詳細については後述する。この特記事項情報ＤＢ１４Ｃに蓄積されている特記事項が所定の図面に付与されることにともなって、線図の修正が必要になる場合がある。その場合の線図の修正の処理内容を定義する修正処理定義ファイル１４Ｄも、ハードディスク１４に格納されている。
【００２４】
さらに、ハードディスク１４には、例えば米マイクロソフト社が製造販売するWindows（登録商標）などのマルチタスクオペレーティングシステムがインストールされている。以下の説明においては、本実施の形態に係るＣＡＤデータ処理プログラム１４Ａが当該オペレーティングシステム上で動作するものとしている。
【００２５】
データ読出装置１５は、フレキシブルディスクドライブ、ＣＤ−ＲＯＭドライブ、又はＤＶＤ−ＲＯＭドライブなどによって構成されており、可搬型記録媒体１８に記録されたコンピュータプログラム又はデータを読み出すことができる。この可搬型記録媒体１８に記録されたＣＡＤデータ処理プログラム１４Ａがデータ読出装置１５によって読み出されてハードディスク１４にインストールされることで、コンピュータ１００をＣＡＤデータ処理装置として機能させることが可能になる。なお、ＣＡＤデータ処理プログラム１４Ａは、このように可搬型記録媒体１８によって提供されるのみならず、電気通信回線（有線、無線を問わない）によってコンピュータ１００と通信可能に接続された外部の機器から当該電気通信回線を通じて提供する等の態様も可能である。例えば、ＣＡＤデータ処理プログラム１４Ａがインターネット上のサーバコンピュータのハードディスク内に格納されており、このサーバコンピュータにコンピュータ１００がアクセスして、当該ＣＡＤデータ処理プログラム１４Ａをダウンロードし、これをハードディスク１４にインストールすること等も可能である。
【００２６】
入出力インタフェース１６は、例えばUSB，IEEE1394，又はRS-232Cなどのシリアルインタフェース、SCSI，IDE，又はIEEE1284などのパラレルインタフェース、及びＤ／Ａ変換器、Ａ／Ｄ変換器などからなるアナログインタフェース等から構成されている。この入出力インタフェース１６には、キーボード及びマウスからなる入力部２が接続されており、ユーザが当該入力部２を操作することにより、コンピュータ１００にデータを入力することが可能になる。
【００２７】
画像出力インタフェース１７は、ＬＣＤまたはＣＲＴなどで構成されたディスプレイ３に接続されており、この画像出力インタフェース１７を介してＣＰＵ１１から画像データに応じた映像信号等がディスプレイ３に与えられる。ディスプレイ３は、ＣＰＵ１１より入力された映像信号等にしたがって、画像（画面）を表示する。
【００２８】
以下、上記の特記事項情報ＤＢ１４Ｃの詳細について説明する。
図２は、特記事項情報ＤＢ１４Ｃのレイアウトの一例を示す図である。図２に示すとおり、特記事項情報ＤＢ１４Ｃは、特記事項の書き込み箇所を示す情報が格納される書き込み箇所フィールド１４１、その書き込み箇所に書き込まれる特記事項の内容が格納される特記事項フィールド１４２、及び図面内の線図の修正の要否を示す情報が格納される線図修正フィールド１４３を有している。
【００２９】
本実施の形態において、書き込み箇所フィールド１４１に格納される書き込み箇所を示す情報は、図面の種類（伏図・軸組図・柱リスト・梁リスト・壁リスト等）を示す情報である。例えば、図２における１行目の特記事項情報の書き込み箇所フィールド１４１には“伏図”が、特記事項フィールド１４２には“水勾配は、１／１００とする”がそれぞれ格納されている。これは、“水勾配は、１／１００とする”という特記事項が“伏図”に書き込まれることを示している。また、図面内の線図の修正が必要な場合、本実施の形態では線図修正フィールド１４３に“○”が格納される。例えば、図２において、１行目の特記事項情報の線図修正フィールド１４３には“○”が格納されている。これは、“水勾配は、１／１００とする”という特記事項が“伏図”に書き込まれる場合に、所定の図面における線図の修正が必要となることを示している。その修正処理の内容は修正処理定義ファイル１４Ｄにて定義されている。例えば、上記の“水勾配は、１／１００とする”という特記事項が“伏図”に書き込まれる場合であれば、水勾配が１／１００となるように軸組図を修正するための処理内容（具体的な処理手順）が、修正処理定義ファイル１４Ｄに規定されている。
【００３０】
上述した特記事項情報は、後述する特記事項登録処理によって生成され、特記事項情報ＤＢ１４Ｃに登録される。また、登録された特記事項情報は、後述する特記事項削除処理によって特記事項情報ＤＢ１４Ｃから削除される。なお、一般的によく用いられる特記事項に係る特記事項情報については、予め特記事項情報ＤＢ１４Ｃに登録されている。この予め登録されている特記事項情報のうち、線図の修正が必要になる特記事項を含むものについては、線図修正フィールド１４３に“○”が格納される。この場合、その修正処理の具体的な内容が修正処理定義ファイル１４Ｄにて定義されている。
【００３１】
上述したように、特記事項情報ＤＢ１４Ｃに蓄積される特記事項情報では、特記事項と当該特記事項が書き込まれるべき箇所とが対応付けられている。これにより、誤った箇所に特記事項を書き込むような事態を回避することが可能になる。また、例えば、登録されている特記事項の中からユーザが所望の特記事項を選択する場合に、まず先に書き込み箇所を特定することにより、特記事項の選択範囲を狭めることができるため、すべての特記事項を選択範囲とする場合と比べて、より容易に所望の特記事項を選択することが可能になる。
【００３２】
［ＣＡＤデータ処理装置の動作］
次に、上述したように構成されたＣＡＤデータ処理装置１００の動作について、フローチャート等を参照しながら説明する。なお、本実施の形態のＣＡＤデータ処理装置１００が実行する主な処理には、（１）新たな特記事項情報を特記事項情報ＤＢ１４Ｃに登録するための特記事項登録処理、（２）登録済みの特記事項情報を特記事項情報ＤＢ１４Ｃから削除するための特記事項削除処理、（３）特記事項を各図面に追記するための特記事項追記処理、及び（４）特記事項に基づいて図面中の線図を修正するための線図修正処理等がある。以下では、これらの各処理の詳細について説明する。
【００３３】
（１）特記事項登録処理
図３は、本発明の実施の形態のＣＡＤデータ処理装置１００が実行する特記事項登録処理の処理手順を示すフローチャートである。図３に示すとおり、ＣＡＤデータ処理装置１００はまず、特記事項の登録、削除及び追記等を行うために用いられる特記事項処理画面をディスプレイ３上に表示する（Ｓ１０１）。
【００３４】
図４は、ＣＡＤデータ処理装置１００のディスプレイ３上に表示される特記事項処理画面の一例を示す図である。図４に示すように、特記事項処理画面Ｓ１には、特記事項の書き込み箇所を指定するためのボタン２０１乃至２０９と、特記事項情報ＤＢ１４Ｃに登録されている特記事項を表示するための特記事項表示欄２１０と、新たに登録する特記事項を入力するための特記事項入力欄２１１と、入力された特記事項を登録するための登録ボタン２１２と、登録されている特記事項を削除するための削除ボタン２１３と、登録されている特記事項を図面に書き込む（反映）させるための反映ボタン２１４とが設けられている。
【００３５】
図４に示す例では、書き込み箇所を指定するためのボタンとして、ベース（基礎）筋ボタン２０１、柱筋ボタン２０２、梁筋ボタン２０３、壁筋ボタン２０４、スラブ筋ボタン２０５、杭筋ボタン２０６、耐圧板ボタン２０７、伏図ボタン２０８、及び軸組図ボタン２０９が設けられている。ここで、ベース筋ボタン２０１、柱筋ボタン２０２、梁筋ボタン２０３、壁筋ボタン２０４及びスラブ筋ボタン２０５はそれぞれ、基礎リスト、柱リスト、梁リスト、壁リスト及びスラブリストを特記事項の書き込み箇所として指定する場合に押下される。また、耐圧板ボタン２０７、伏図ボタン２０８及び軸組図ボタン２０９はそれぞれ、基礎伏図、伏図及び軸組図を特記事項の書き込み箇所として指定する場合に押下される。なお、ここでは、各ボタン２０１乃至２０９のそれぞれが図面と一対一に対応しているが、一つのボタンが複数種類の図面と対応付けられていてもよく、また、複数のボタンが一つの図面と対応付けられていてもよい。
【００３６】
ユーザは、ディスプレイ３上に表示されている特記事項処理画面Ｓ１を参照し、登録予定の特記事項の書き込み箇所を選択するために、ボタン２０１乃至２０９の何れかを入力部２を用いて押下する。ＣＡＤデータ処理装置１００は、ユーザによるボタンの押下によって特記事項の書き込み箇所の選択を受け付けた場合（Ｓ１０２）、その選択された書き込み箇所に書き込まれる特記事項として既に特記事項情報ＤＢ１４Ｃに登録されている特記事項（以下、「既登録特記事項」という）を、特記事項処理画面Ｓ１中の特記事項表示欄２１０に表示する（Ｓ１０３）。
【００３７】
図５は、ＣＡＤデータ処理装置１００のディスプレイ３上に表示される既登録特記事項を含む特記事項処理画面Ｓ１の一例を示す図である。なお、図５には、ユーザが伏図ボタン２０８を押下することによって特記事項の書き込み箇所として伏図が選択された場合の画面例が示されている。この場合、図５に示すように、特記事項処理画面Ｓ１中の特記事項表示欄２１０には、伏図に書き込まれるべき既登録特記事項が表示される。より詳細には、特記事項情報ＤＢ１４Ｃにおいて、書き込み箇所フィールド１４１に“伏図”が格納されている特記事項情報の特記事項フィールド１４２に格納されている特記事項が、特記事項表示欄２１０に表示される。
【００３８】
ユーザは、ディスプレイ３上に表示されている特記事項処理画面Ｓ１中の特記事項表示欄２１０を参照することにより登録予定の特記事項が既に登録されているか否かを確認し、まだ登録されていないと判断した場合、その登録予定の特記事項を、入力部２を用いて特記事項入力欄２１１に対して入力する（図５においては、“水勾配は、１／７５とする”が入力されている）。この特記事項の入力後、ユーザは、入力部２を用いて登録ボタン２１２を押下する。
【００３９】
ＣＡＤデータ処理装置１００は、ユーザから特記事項の入力を受け付け（Ｓ１０４）、さらに登録ボタン２１２の押下を受け付けた場合（Ｓ１０５）、選択された書き込み箇所を示す情報（例えば“伏図”）と特記事項入力欄２１１に入力された特記事項（例えば“水勾配は、１／７５とする”）とを用いて特記事項情報を生成し（Ｓ１０６）、その生成した特記事項情報を特記事項情報ＤＢ１４Ｃに登録する（Ｓ１０７）。これにより、特記事項登録処理が終了する。
【００４０】
以上の特記事項登録処理が実行されることにより、ユーザは、所望の特記事項を特記事項情報ＤＢ１４Ｃに登録することができる。ユーザは、必要に応じて様々な特記事項を登録することになる。
【００４１】
（２）特記事項削除処理
図６は、本発明の実施の形態のＣＡＤデータ処理装置１００が実行する特記事項削除処理の処理手順を示すフローチャートである。図６に示すとおり、ＣＡＤデータ処理装置１００はまず、特記事項処理画面Ｓ１をディスプレイ３上に表示する（Ｓ２０１）。この場合、ユーザは、ディスプレイ３上に表示されている特記事項処理画面Ｓ１を参照し、削除対象の特記事項の書き込み箇所を選択するために、特記事項処理画面Ｓ１中のボタン２０１乃至２０９の何れかを入力部２を用いて押下する。ＣＡＤデータ処理装置１００は、ユーザによるボタンの押下によって削除対象の特記事項の書き込み箇所の選択を受け付けた場合（Ｓ２０２）、その選択された書き込み箇所に係る既登録特記事項を、特記事項処理画面Ｓ１中の特記事項表示欄２１０に表示する（Ｓ２０３）。
【００４２】
図７は、ＣＡＤデータ処理装置１００のディスプレイ３上に表示される既登録特記事項を含む特記事項処理画面Ｓ１の一例を示す図である。なお、図７には、ユーザが伏図ボタン２０８を押下することによって特記事項の書き込み箇所として伏図が選択された場合の画面例が示されている。この場合、図７に示すように、特記事項処理画面Ｓ１中の特記事項表示欄２１０には、伏図に書き込まれるべき既登録特記事項が表示される。
【００４３】
ユーザは、ディスプレイ３上に表示されている特記事項処理画面Ｓ１中の特記事項表示欄２１０の中から削除対象の特記事項を特定し、その特定した特記事項と対応付けて設けられているチェックボックスに対して、入力部２を用いてチェックマークを入力する。これにより、削除対象の特記事項が選択されたことになる。図７には、削除対象の特記事項として“△印は、耐震スリット（完全スリット）を示す”が選択された場合の画面例が示されている。ユーザは、削除対象の特記事項を選択した後、入力部２を用いて削除ボタン２１３を押下する。
【００４４】
ＣＡＤデータ処理装置１００は、ユーザから削除対象の特記事項の選択を受け付け（Ｓ２０４）、さらに削除ボタン２１３の押下を受け付けた場合（Ｓ２０５）、選択された特記事項に係る特記事項情報を特記事項情報ＤＢ１４Ｃから削除し（Ｓ２０６）、特記事項削除処理を終了する。
【００４５】
以上の特記事項削除処理が実行されることにより、ユーザは、不要と判断した特記事項を特記事項情報ＤＢ１４Ｃから削除することができる。
【００４６】
（３）特記事項追記処理
図８は、本発明の実施の形態のＣＡＤデータ処理装置１００が実行する特記事項追記処理の処理手順を示すフローチャートである。図８に示すとおり、ＣＡＤデータ処理装置１００はまず、特記事項処理画面Ｓ１をディスプレイ３上に表示する（Ｓ３０１）。この場合、ユーザは、ディスプレイ３上に表示されている特記事項処理画面Ｓ１を参照し、追記対象の特記事項の書き込み箇所を選択するために、特記事項処理画面Ｓ１中のボタン２０１乃至２０９の何れかを入力部２を用いて押下する。ＣＡＤデータ処理装置１００は、ユーザによるボタンの押下によって追記対象の特記事項の書き込み箇所の選択を受け付けた場合（Ｓ３０２）、その選択された書き込み箇所に係る既登録特記事項を、特記事項処理画面Ｓ１中の特記事項表示欄２１０に表示する（Ｓ３０３）。
【００４７】
図９は、ＣＡＤデータ処理装置１００のディスプレイ３上に表示される既登録特記事項を含む特記事項処理画面Ｓ１の一例を示す図である。なお、図９には、ユーザが柱筋ボタン２０２を押下することによって特記事項の書き込み箇所として柱リストが選択された場合の画面例が示されている。この場合、図９に示すように、特記事項処理画面Ｓ１中の特記事項表示欄２１０には、柱リストに書き込まれるべき既登録特記事項が表示される。
【００４８】
ユーザは、ディスプレイ３上に表示されている特記事項処理画面Ｓ１中の特記事項表示欄２１０の中から追記対象の特記事項を特定し、その特定した特記事項と対応付けて設けられているチェックボックスに対して、入力部２を用いてチェックマークを入力する。これにより、追記対象の特記事項が選択されたことになる。図９には、追記対象の特記事項として“鉄筋強度：D16以下SD295Aとする”及び“鉄筋強度：D19〜D25はSD345とする”の二つが選択された場合の画面例が示されている。ユーザは、追記対象の特記事項を選択した後、入力部２を用いて反映ボタン２１４を押下する。
【００４９】
ＣＡＤデータ処理装置１００は、ユーザから追記対象の特記事項の選択を受け付け（Ｓ３０４）、さらに反映ボタン２１４の押下を受け付けた場合（Ｓ３０５）、選択された特記事項に係る特記事項情報を参照して当該特記事項と対応付けられている書き込み箇所（すなわち、ステップＳ３０２において選択を受け付けた書き込み箇所）を特定し、その特定した書き込み箇所に係るＣＡＤデータを図面情報ＤＢ１４Ｂから抽出する（Ｓ３０６）。ここでは、書き込み箇所として柱リストが選択されており、ステップＳ３０６によって柱リストのＣＡＤデータが抽出されたものとする。
【００５０】
次に、ＣＡＤデータ処理装置１００は、ステップＳ３０６により抽出されたＣＡＤデータに、ステップＳ３０４にて選択を受け付けた特記事項を追記し（Ｓ３０７）、その追記後のＣＡＤデータをディスプレイ３上に表示する（Ｓ３０８）。
【００５１】
図１０は、ＣＡＤデータ処理装置１００のディスプレイ３上に表示される登録特記追記後のＣＡＤデータの一例を示す図である。図１０に示すように、ＣＡＤデータ表示画面Ｓ２には、柱リストの一部が表示されている。柱リストには、特記事項を表示するための特記事項表示欄３０１が設けられており、ユーザにより選択された特記事項が、ステップＳ３０７によって当該特記事項表示欄３０１に追記される。この特記事項表示欄３０１の各図面における位置、すなわち特記事項が記載される位置は、図面毎に予め設定されている。ＣＡＤデータ処理装置１００は、その設定されている特記事項表示欄３０１の位置を示す情報を記憶しておき、ステップＳ３０７を実行する際に当該情報を参照し、各図面において予め設定された位置に特記事項を書き込む。
【００５２】
ステップＳ３０７の終了後、ＣＡＤデータ処理装置１００は、特記事項が追記されたＣＡＤデータを図面情報ＤＢ１４Ｂに格納することにより図面情報ＤＢ１４Ｂを更新し（Ｓ３０９）、特記事項追記処理を終了する。
【００５３】
以上の特記事項追記処理が実行されることによって、ユーザは、所望の特記事項をＣＡＤデータに付与することができる。これにより、特記事項を記載したＣＡＤデータを容易に作成することが可能になる。
【００５４】
（４）線図修正処理
図１１は、本発明の実施の形態のＣＡＤデータ処理装置１００が実行する線図修正処理の処理手順を示すフローチャートである。なお、この線図修正処理は、上述した特記事項追記処理に続いて実行される処理である。以下では、先行する特記事項追記処理において、追記対象の特記事項の書き込み箇所として伏図が選択され、その選択された伏図に対して特記事項“水勾配は、１／１００とする”が書き込まれたものとして、説明を続ける。
【００５５】
図１１に示すとおり、ＣＡＤデータ処理装置１００はまず、先に行われた特記事項追記処理により所定の図面に追記された特記事項に係る特記事項情報を参照し、その特記事項情報の線図修正フィールド１４３に“○”が格納されているか否かを確認することにより、線図の修正が必要であるか否かを判定する（Ｓ４０１）。ここで、線図の修正は必要ではないと判定した場合（Ｓ４０１でＮＯ）、ＣＡＤデータ処理装置１００は線図修正処理を終了する。
【００５６】
他方、ステップＳ４０１において線図の修正が必要であると判定した場合（Ｓ４０１でＹＥＳ）、ＣＡＤデータ処理装置１００は、修正処理定義ファイル１４Ｄを参照することにより、修正対象の線図が含まれている図面を特定し、その特定した図面に係るＣＡＤデータを図面情報ＤＢ１４Ｂから抽出する（Ｓ４０２）。なお、ここでは、修正処理定義ファイル１４Ｄにおいて、特記事項“水勾配は、１／１００とする”が伏図に書き込まれる場合に、水勾配が１／１００となるように軸組図を修正するための処理内容が規定されているものとする。したがって、ステップＳ４０２では、軸組図に係るＣＡＤデータが図面情報ＤＢ１４Ｂから抽出されることになる。
【００５７】
次に、ＣＡＤデータ処理装置１００は、抽出したＣＡＤデータ中の線図を、修正処理定義ファイル１４Ｄにしたがって修正し（Ｓ４０３）、その修正後のＣＡＤデータをディスプレイ３上に表示する（Ｓ４０４）。
【００５８】
図１２は、ＣＡＤデータ処理装置１００のディスプレイ３上に表示される線図修正後のＣＡＤデータの一例を示す図である。図１２に示すように、ＣＡＤデータ表示画面Ｓ３には、軸組図が表示されている。この軸組図は、ステップＳ４０３により、水勾配が１／１００となるように修正されている。ユーザは、このＣＡＤデータ表示画面Ｓ３を参照することにより、伏図に新たに書き込まれた特記事項の内容が軸組図に反映されていることを確認することができる。
【００５９】
ステップＳ４０４の終了後、ＣＡＤデータ処理装置１００は、線図が修正されたＣＡＤデータを図面情報ＤＢ１４Ｂに格納することにより図面情報ＤＢ１４Ｂを更新し（Ｓ４０５）、線図修正処理を終了する。
【００６０】
以上の線図修正処理が実行されることにより、新たに追記される特記事項の内容が反映された線図を自動的に生成することが可能になる。このような線図の修正が行われない場合、上記の特記事項追記処理が実行される都度、他の図面との整合をマニュアルで確認しなければならない等の煩雑な作業が発生する可能性があるが、上記の線図修正処理を実行することによって当該整合を自動的にとることが可能になる。
【００６１】
（その他の実施の形態）
上記の実施の形態において、修正処理定義ファイル１４Ｄには、予め登録されている特記事項についての線図の修正の処理内容のみが定義されているが、特記事項登録処理によってユーザが所望の特記事項を登録した場合に、当該特記事項についての線図の修正の処理内容をユーザ側で定義し、これを修正処理定義ファイル１４Ｄに新たに登録することができるようにしてもよい。具体的には、図４等に示した特記事項処理画面Ｓ１中に線図修正の要否を入力することができる入力欄を設けておき、その入力欄に線図の修正が必要であることが入力された場合に、ＣＡＤデータ処理装置１００が、線図の修正の処理内容を入力する欄を表示して、ユーザに当該処理内容を入力するよう促すような構成が想定される。この場合に、ユーザが線図の修正の処理内容を入力したとき、ＣＡＤデータ処理装置１００は、特記事項情報の線図修正フィールドに“○”を格納するとともに、入力された線図の修正の処理内容を修正処理定義ファイル１４Ｄに格納する。その後、線図修正処理において、ＣＡＤデータ処理装置１００が、修正処理定義ファイル１４Ｄに格納された当該処理内容を実行することにより、ユーザ側で定義した線図の修正が自動的に行われることになる。
【００６２】
上記の実施の形態では、線図の修正処理として軸組図における水勾配を修正する処理が示されているが、これは一例であって、様々な修正処理が考えられる。例えば、特記事項がハッチングパターンの意味を特定するものである場合、その特記事項が追記された場合に、当該特記事項で規定されているハッチングパターンを所定の箇所に施す等の修正を行うようにしてもよい。
【産業上の利用可能性】
【００６３】
本発明の建築用ＣＡＤデータ処理装置、建築用ＣＡＤデータ処理方法及びコンピュータプログラムは、共同住宅、個別住宅及びオフィスビル等の各種の建築物のＣＡＤデータを処理するための建築用ＣＡＤデータ処理装置、建築用ＣＡＤデータ処理方法及びコンピュータプログラムなどとして有用である。
【符号の説明】
【００６４】
１  本体
２  入力部
３  ディスプレイ
１１  ＣＰＵ
１２  ＲＯＭ
１３  ＲＡＭ
１４  ハードディスク
１４Ａ  ＣＡＤデータ処理プログラム
１４Ｂ  図面情報データベース
１４Ｃ  特記事項情報データベース
１４Ｄ  修正処理定義ファイル
１５  データ読出装置
１６  入出力インタフェース
１７  画像出力インタフェース
１８  可搬型記録媒体
１００  ＣＡＤデータ処理装置
ＢＳ  バス
Ｓ１  特記事項処理画面
Ｓ２，Ｓ３  データ表示画面
【図１】
0005269948.tif 000002
【図２】
0005269948.tif 000003
【図３】
0005269948.tif 000004
【図４】
0005269948.tif 000005
【図５】
0005269948.tif 000006
【図６】
0005269948.tif 000007
【図７】
0005269948.tif 000008
【図８】
0005269948.tif 000009
【図９】
0005269948.tif 000010
【図１０】
0005269948.tif 000011
【図１１】
0005269948.tif 000012
【図１２】
0005269948.tif 000013